(57)【要約】【課題】  大量の薬剤を必要とする土壌面や木材への薬剤処理でシロアリを防除するのではなく、シロアリの移動を制御して、加害対象物（建物など）へのシロアリの進入を阻止し、また、シロアリ捕獲装置に誘導させることにより、最低限度の薬剤でシロアリを効果的に捕集し、防除することができるシロアリ捕集技術の提供。【解決手段】  建築物の周囲にシロアリ捕獲装置を埋設してシロアリを捕獲するシロアリ捕集方法であって、建築物の周囲の少なくとも一部の地中にシロアリ誘導ガイド壁２を形成させ、前記シロアリ誘導ガイド壁に近接又は連結させて前記シロアリ捕獲装置１を配設させることにより、シロアリをシロアリ誘導ガイドに沿って移動させてシロアリ捕獲装置に進入させる。【選択図】  図２
2006034234.tif 000002
【特許請求の範囲】
【請求項１】
建築物の周囲にシロアリ捕獲装置を埋設してシロアリを捕獲するシロアリ捕集方法であって、
建築物の周囲の少なくとも一部の地中にシロアリ誘導ガイド壁を形成させ、
前記シロアリ誘導ガイド壁に近接又は連結させて前記シロアリ捕獲装置を配設させることにより、シロアリをシロアリ誘導ガイドに沿って移動させてシロアリ捕獲装置に進入させるようにしたことを特徴とするシロアリ捕集方法。
【請求項２】
請求項１記載のシロアリ捕集方法において、前記シロアリ誘導ガイド壁が、建築物の周囲の少なくとも一部の地中に板部材及び／又は杭部材及び／又はシート部材を埋設させることで形成されているシロアリ捕集方法。
【請求項３】
請求項１又は２記載のシロアリ捕集方法において、前記シロアリ誘導ガイド壁を形成する板部材及び／又は杭部材及び／又はシート部材に、シロアリ防除剤やシロアリ忌避剤を付着させているシロアリ捕集方法。
【請求項４】
請求項１記載のシロアリ捕集方法において、前記シロアリ誘導ガイド壁を、地中にシロアリ忌避剤を所定の深さで浸透させた忌避剤含浸層で形成させているシロアリ捕集方法。
【請求項５】
建築物の周囲の少なくとも一部にシロアリ誘導ガイド壁を形成させ、このシロアリ誘導ガイド壁に近接又は連結させてシロアリ捕獲装置を配設させることにより、シロアリをシロアリ誘導ガイドに沿って移動させてシロアリ捕獲装置に進入させるようにしたシロアリ捕集方法で用いられる前記シロアリ誘導ガイド壁であって、
建築物の周囲の少なくとも一部の地中に板部材及び／又は杭部材及び／又はシート部材を埋設させることで形成されていることを特徴としたシロアリ誘導ガイド壁。
【請求項６】
請求項５記載のシロアリ誘導ガイド壁において、このシロアリ誘導ガイド壁を形成する板部材及び／又は杭部材及び／又はシート部材に、シロアリ防除剤やシロアリ忌避剤が付着されているシロアリ誘導ガイド壁。
【請求項７】
建築物の周囲の少なくとも一部にシロアリ誘導ガイド壁を形成させ、このシロアリ誘導ガイド壁に近接又は連結させてシロアリ捕獲装置を配設させることにより、シロアリをシロアリ誘導ガイドに沿って移動させてシロアリ捕獲装置に進入させるようにしたシロアリ捕集方法で用いられる前記シロアリ誘導ガイド壁であって、
建築物の周囲の少なくとも一部の地中にシロアリ忌避剤を所定の深さで浸透させた忌避剤含浸層で形成されていることを特徴としたシロアリ誘導ガイド壁。
【発明の詳細な説明】
【技術分野】
【０００１】
本発明は、シロアリ捕集方法及びそのシロアリ捕集方法に用いるシロアリ誘導ガイド壁に関する。
【背景技術】
【０００２】
従来、シロアリ、特に地下シロアリの捕集方法として、木杭やシロアリが好む餌を配設した容器等（捕獲装置）を土壌に埋設して、シロアリを捕集し、捕集確認後に遅効性の薬剤を含浸させた餌を投入して防除する方法がある（特許文献１参照）。
【０００３】
しかしながら、シロアリの習性からみて移動経路を特定することができないため、このような従来の方法では、捕獲装置を埋設しても、シロアリが捕集できない場合が多い。
また、捕集した場合でも、捕獲装置に捕集が確認されたのは、配設した全捕獲装置のうちの半分以下であり、捕集技術としては性能が低いことが、本発明者らの調査で判明した。
【０００４】
このため、建築物等の加害対象物に到達する前に、シロアリを捕集するには、捕集装置を建築物の周囲に隙間なく配設することが必要になるが、それに伴うコストがかかるため好ましくない。
また、建築物等の加害対象物に到達する前に、シロアリを防除する方法としては、現状は前記した従来の方法が一般的に採用されており、他の手段は提案されていない。
【特許文献１】特開２００２−３１５４９３号公報
【発明の開示】
【発明が解決しようとする課題】
【０００５】
本発明は、シロアリの移動が事前に把握できなくても、建築物等の加害対象物にシロアリが到達する前にシロアリを捕集し、防除させるようにしたもので、埋設したシロアリ捕獲装置にシロアリを誘導させることにより、シロアリの捕集効率を向上させることができるシロアリ捕集方法及びそのシロアリ捕集方法に用いるシロアリ誘導ガイド壁を提供することを課題としている。
即ち、大量の薬剤を必要とする土壌面や木材への薬剤処理でシロアリを防除するのではなく、シロアリの移動を制御して、加害対象物（建物など）へのシロアリの進入を阻止し、また、シロアリ捕獲装置に誘導させることにより、最低限度の薬剤でシロアリを効果的に捕集し、防除することができるシロアリ捕集技術を提供する。
【課題を解決するための手段】
【０００６】
上記の課題を解決するために、本発明（請求項１）のシロアリ捕集方法は、
建築物の周囲にシロアリ捕獲装置を埋設してシロアリを捕獲するシロアリ捕集方法であって、
建築物の周囲の少なくとも一部の地中にシロアリ誘導ガイド壁を形成させ、
前記シロアリ誘導ガイド壁に近接又は連結させて前記シロアリ捕獲装置を配設させることにより、シロアリをシロアリ誘導ガイドに沿って移動させてシロアリ捕獲装置に進入させるように構成した。
【０００７】
又、本発明（請求項２）のシロアリ捕集方法は、
前記請求項１記載のシロアリ捕集方法において、前記シロアリ誘導ガイド壁が、建築物の周囲の少なくとも一部の地中に板部材及び／又は杭部材及び／又はシート部材を埋設させることで形成されている態様とした。
【０００８】
又、本発明（請求項３）のシロアリ捕集方法は、
前記請求項１又は２記載のシロアリ捕集方法において、前記シロアリ誘導ガイド壁を形成する板部材及び／又は杭部材及び／又はシート部材に、シロアリ防除剤やシロアリ忌避剤を付着させている態様とした。
【０００９】
又、本発明（請求項４）のシロアリ捕集方法は、
前記請求項１記載のシロアリ捕集方法において、前記シロアリ誘導ガイド壁を、地中にシロアリ忌避剤を所定の深さで浸透させた忌避剤含浸層で形成させている態様とした。
【００１０】
又、本発明（請求項５）のシロアリ誘導ガイド壁は、
建築物の周囲の少なくとも一部にシロアリ誘導ガイド壁を形成させ、このシロアリ誘導ガイド壁に近接又は連結させてシロアリ捕獲装置を配設させることにより、シロアリをシロアリ誘導ガイドに沿って移動させてシロアリ捕獲装置に進入させるようにしたシロアリ捕集方法で用いられる前記シロアリ誘導ガイド壁であって、
建築物の周囲の少なくとも一部の地中に板部材及び／又は杭部材及び／又はシート部材を埋設させることで形成されている構成とした。
【００１１】
又、本発明（請求項６）のシロアリ誘導ガイド壁は、
前記請求項５記載のシロアリ誘導ガイド壁において、このシロアリ誘導ガイド壁を形成する板部材及び／又は杭部材及び／又はシート部材に、シロアリ防除剤やシロアリ忌避剤が付着されている態様とした。
【００１２】
又、本発明（請求項７）のシロアリ誘導ガイド壁は、
建築物の周囲の少なくとも一部にシロアリ誘導ガイド壁を形成させ、このシロアリ誘導ガイド壁に近接又は連結させてシロアリ捕獲装置を配設させることにより、シロアリをシロアリ誘導ガイドに沿って移動させてシロアリ捕獲装置に進入させるようにしたシロアリ捕集方法で用いられる前記シロアリ誘導ガイド壁であって、
建築物の周囲の少なくとも一部の地中にシロアリ忌避剤を所定の深さで浸透させた忌避剤含浸層で形成されている構成とした。
【発明の効果】
【００１３】
本発明のシロアリ捕集方法及びシロアリ誘導ガイド壁（請求項１、２及び請求項５）によれば、従来のシロアリ捕獲装置を埋設するだけのシロアリ捕集方法とは異なり、シロアリ誘導ガイド壁が建築物の周囲の全周又は一部を包囲し、シロアリ捕獲装置へシロアリを移動するように制御するため、建築物の周囲に埋設したシロアリ捕獲装置に効率的に進入させることができ、建築物に到達する前に、シロアリを捕集し、防除することが可能となる。
【００１４】
又、シロアリ誘導ガイド壁にシロアリ防除剤やシロアリ忌避剤を付着させると（請求項３及び請求項６）、シロアリ誘導ガイド壁に、本来のシロアリ誘導機能に加えて、シロアリ防除機能やシロアリ忌避機能を持たせることができる。
【００１５】
又、シロアリ誘導ガイド壁を忌避剤含浸層で形成させると（請求項４及び請求項７）、シロアリ誘導ガイド壁を形成するための施工が簡単になる。
【発明を実施するための最良の形態】
【００１６】
シロアリは木材等の餌を探知しながら四方八方に移動していくが、進行方向に障害物があると、その障害物（特に縁）に沿って移動していく習性がある。
このことから、移動範囲に障害物を配置することで、その障害物に沿って移動、誘導可能であるということが、発明者らの研究で明らかになった。
このシロアリの移動習性を利用して、建築物の周囲に埋設したシロアリ捕獲装置の付近にシロアリ誘導ガイド壁を形成することで、シロアリの移動を制御して、シロアリをシロアリ捕獲装置へ進入させ、捕集することができる。
また、シロアリ捕獲装置において、殺虫剤、忌避剤、毒餌、昆虫成長制御剤、微生物剤等を用いて防除することが可能となる。
【実施例】
【００１７】
図１は本発明のシロアリ捕集方法の実施例を示す説明平面図であり、図２はシロアリ防除方法で使用するシロアリ誘導ガイド壁の斜視図である。
【００１８】
この図１で示したシロアリ捕集方法は、加害対象物としての建築物Ａの周囲に、シロアリ捕獲装置１を一定の間隔で建築物Ａを囲うように埋設させると共に、埋設された１つのシロアリ捕獲装置１と隣接するシロアリ捕獲装置１との間において、シロアリ捕獲装置１に近接配置されるようにシロアリ誘導ガイド壁２を形成させている。
【００１９】
前記シロアリ捕獲装置１は、外側面が開口したボックス体１０の内部に、木材１１やシロアリが好む餌を収容させると共に、ボックス体１０の側壁にスリット１２を形成して、シロアリが内部に進入し易いように形成されている。
【００２０】
前記シロアリ誘導ガイド壁２は、この実施例では板状部材２０を地中に埋設させることで形成されている。
シロアリ、特に地下シロアリの生息地下深さは、一般に地下３０ｃｍ程度とされており、このことに対応して、地面Ｇから地下３０〜５０ｃｍの深さにバリアを形成するように、板状部材２０を埋設させている。
なお、板状部材２０は、一枚ものである必要はなく、シロアリ捕獲装置１，１の間に、複数枚の板状部材２０を一連に列設してシロアリ誘導ガイド壁２として形成させても構わない。
【００２１】
又、前記シロアリ捕獲装置１の配設位置に関し、図面上ではシロアリ誘導ガイド壁２の端部に近接配置させているが、シロアリ誘導ガイド壁２の途中の内面又は外面に近接した位置としてもよいし、シロアリ誘導ガイド壁２を形成する板状部材２０の一部を切り欠いて、その切り欠き部分に配置させてもよい。
【００２２】
このように、シロアリ誘導ガイド壁２を形成することで、シロアリが建築物Ａに向けて侵入してきたとしても、そのシロアリが板状部材２０によるシロアリ誘導ガイド壁２に到達すると、シロアリは本来有する習性によって、板状部材２０に接触することで障害物として認識し、シロアリ誘導ガイド壁２に沿って移動する。
これにより、シロアリは、シロアリ誘導ガイド壁２の両サイドに配設したシロアリ捕獲装置１に向けて誘導される。
そして、シロアリ捕獲装置１内には、木材１１やシロアリが好む餌が収納されているため、シロアリ誘導ガイド壁２によって誘導されたシロアリは、そのままシロアリ捕獲装置１内へと進入し、捕集されることになる。
【００２３】
なお、シロアリ捕獲装置１にシロアリが進入して、シロアリ捕獲装置１内の餌に食害を繰り返すことに成功すれば、シロアリ捕獲装置１内の餌を毒餌に置き変えることで、餌を巣に持ち帰るシロアリの習性により、シロアリのコロニー自体を壊滅させることが可能となり、駆除が達成されることになる。
【００２４】
この実施例では、シロアリ誘導ガイド壁２を、板状部材２０を地中に埋設させることで形成させたが、地中にシロアリ忌避剤を浸透させることで忌避剤含浸層を一定の深さに形成させて、この忌避剤含浸層をシロアリ誘導ガイド壁として形成させることができる（図示省略）。
この場合、地中にノズルを挿入し、このノズルから薬剤を注入することができる。
【００２５】
このとき、薬剤の定着性が重要となり、その広がり方やその場に薬剤が留まることを考慮して、これが可能な薬剤を選択使用する。
忌避剤としては、ピレスロイド系、カーバメイト系などシロアリが忌避する性質を持つシロアリ防除薬剤や、抗蟻成分を含む天然物（檜，ヒバ，イヌマキ，モッコク，センダン，チーク，除虫菊など）の抽出成分や金属粉、金属粒（クロム，銅，亜鉛など）を使用することができる。但し、金属粉や金属粒は、環境問題を考えると使用しないほうが好ましい。
なお、薬剤には、固形物と流動物のものがあるが、これらのどちらかを単独で使用してもよいし、それぞれを組合せて使用してもよい。
【００２６】
又、シロアリ誘導ガイド壁２は、板状部材２０のほかにも、図３で示すような杭状部材２１や図４で示すようなシート状部材２２を用いて形成させることができる。
【００２７】
図３は杭状部材２１を用いて形成したシロアリ誘導ガイド壁２を示した斜視図である。
建築物の周囲に、シロアリ捕獲装置１を一定の間隔で建築物を囲うように埋設させると共に、隣り合うシロアリ捕獲装置１，１間において、多数の杭状部材２１を地中に一連に建て込んでいる。
【００２８】
この杭状部材２１は棒状であるため、杭状部材２１同士の間隔が広いと、シロアリがシロアリ誘導ガイド壁２を突破する可能性が高い。そのため、杭状部材２１同士の間隔を狭くする方が、誘導効果を高めることになる。
また、シロアリ捕獲装置１とシロアリ捕獲装置１の間に配設する本数に制約は無く、常に一定の本数としなくともよく、適宜、配設すれば良い。
また、杭状部材２１の断面形状は、丸、三角、四角と様々な形状が考えられ、基本的には形状は何でも良いが、シロアリを沿わして移動させるのであれば、四角が好ましい。
【００２９】
図４はシート状部材２２を用いて形成したシロアリ誘導ガイド壁２を示した斜視図である。
建築物の周囲に、シロアリ捕獲装置１を一定の間隔で建築物を囲うように埋設させると共に、隣り合うシロアリ捕獲装置１，１間において、シート状部材２２を地中に埋設させている。
【００３０】
なお、シロアリ誘導ガイド壁２としては、板状部材２０、杭状部材２１、シート状部材２２を組合せて形成したものを含むのは勿論である。
【００３１】
又、シロアリ誘導ガイド壁２を形成させる板状部材２０、杭状部材２１、シート状部材２２に、シロアリ防除剤やシロアリ忌避剤（ピレスロイド系、カーバメイト系）、抗蟻成分を含む天然物（檜，ヒバ，イヌマキ，モッコク，センダン，チーク，除虫菊など）や金属（クロム，銅，亜鉛など）を付着させて、シロアリ誘導ガイド壁２に、本来のシロアリ誘導機能に加えて、シロアリ防除機能やシロアリ忌避機能を持たせることができる。但し、金属は、環境問題を考えると使用しないほうが好ましい。
この場合のシロアリ忌避剤の付着方法としては、含浸、塗布、忌避剤を含んだテープを貼り付けるなどがある。
【００３２】
又、抗蟻成分を含む天然物（檜，ヒバ，イヌマキ，モッコク，センダン，チーク，除虫菊など）や金属（クロム，銅，亜鉛など）自体を材料とした板状部材２０、杭状部材２１によってシロアリ誘導ガイド壁２を形成させてもよい。但し、金属は、環境問題を考えると使用しないほうが好ましい。
【００３３】
また、図５〜９に示すように、シロアリ誘導ガイド壁２の表面に、突部や溝部を形成することで、シロアリの移動を制御することに対して、さらに効果を高めることも可能である。
【００３４】
図５に示した杭状部材２１は、四角形状の突部２１ａを形成したもの、図６に示した杭状部材２１は、くびれ状の凹部２１ｂを形成したもので、その形状は種々ある。
なお、このような突部２１ａや凹部２１ｂを形成させた場合、これを並べると、隣り合う杭状部材２１，２１間に隙間ができるため、シロアリのガイドとしては効率が下がる。よって、隣り合う対向面を平面として、建て込み状態で隙間が生じない形態とするとより好ましい。
【００３５】
図７及び図８に示した板状部材２０は、突部２０ａと溝部２０ｂとを形成したもので、図面上では内外両面に加工を施しているが、突部２０ａや溝部２０ｂを片面（外面）だけに形成してもよい。
【００３６】
図９に示したシート状部材２２は、単体では突部や溝部を形成するのが困難なため、埋設形状が屈曲するようにさせたものである。
まず、シート状部材２２の下部を傾斜状態に埋め、その後、上部を反対方向に傾斜させて埋設することで、く字状に屈曲させ、片面に凸縁２２ａを形成させ、他方の面に凹縁２２ｂを形成させるようにしたものである。
なお、シート状部材２２を用いて形成したシロアリ誘導ガイド壁２は、板状部材２０で形成したものと同様に、シロアリ捕獲装置１，１の間に、複数枚のシート状部材２２を一連に列設してシロアリ誘導ガイド壁２として形成しても構わない。
【００３７】
また、シロアリ誘導ガイド壁２の表面にザラツキがあると、シロアリが乗り越え易くなる。そこで、シロアリ誘導ガイド壁２を形成する板状部材２０、杭状部材２１、シート状部材２２の表面を、できるだけ抵抗がない滑らかな状態に形成すれば、乗り越え難くできるため、より好ましい。
【００３８】
これまでの説明では、シロアリ誘導ガイド壁２とシロアリ捕獲装置１は、それぞれ別体であり、これを近接して配置させたものであった。
シロアリの移動を制御するためには、シロアリ誘導ガイド壁２とシロアリ捕獲装置１の隙間を極力少なくして、シロアリ捕獲装置１への進入効率を向上させることが必要である。
そこで、図示省略したが、シロアリ誘導ガイド壁を形成する板状部材、杭状部材、シート状部材とシロアリ捕獲装置を、予め一体に形成させてもよいし、連結具によって連結させてもよい。
このように、シロアリ誘導ガイド壁にシロアリ捕獲装置を一体的に設けると、シロアリ誘導ガイド壁を地中に配設すれば、同時にシロアリ捕獲装置を設置でき、シロアリ捕獲装置への進入の効率だけでなく、施工効率も向上させることができる。
【００３９】
又、本発明において、シロアリの移動をシロアリ誘導ガイド壁で効果的に制御させるために、シロアリ誘導ガイド壁を建築物の周囲の全体に張り巡らせるようにしてもよいが、シロアリはシロアリ誘導ガイド壁に沿って移動するため、水廻りなどのシロアリが密集すると推測される付近に配置する等、シロアリ誘導ガイド壁の配置位置を工夫することでも効果的な防除ができる。
【００４０】
又、シロアリ誘導ガイド壁とシロアリ捕獲装置については、建築物の周囲の囲みは何層にも設けるのが好ましく、仮に、１層目のシロアリ誘導ガイド壁とシロアリ捕獲装置を乗り越えたとしても次のシロアリ誘導ガイド壁やシロアリ捕獲装置との接触が避けられない状態にするのが好ましい。
【図面の簡単な説明】
【００４１】
【図１】本発明のシロアリ捕集方法の実施例を示す説明平面図である。
【図２】シロアリ防除方法で使用するシロアリ誘導ガイド壁の斜視図である。
【図３】シロアリ誘導ガイド壁の他例を示す斜視図である。
【図４】シロアリ誘導ガイド壁の他例を示す斜視図である。
【図５】シロアリ誘導ガイド壁を形成する杭状部材の他例を示す斜視図である。
【図６】シロアリ誘導ガイド壁を形成する杭状部材の他例を示す斜視図である。
【図７】シロアリ誘導ガイド壁を形成する板状部材の他例を示す斜視図である。
【図８】シロアリ誘導ガイド壁を形成する板状部材の他例を示す斜視図である。
【図９】シロアリ誘導ガイド壁を形成するシート部材の他例を示す斜視図である。
【符号の説明】
【００４２】
１  シロアリ捕獲装置
１０  ボックス体
１１  木材
１２  スリット
２  シロアリ誘導ガイド壁
２０  板状部材
２０ａ  突部
２０ｂ  溝部
２１  杭状部材
２１ａ  突部
２１ｂ  凹部
２２  シート状部材
２２ａ  凸縁
２２ｂ  凹縁
Ａ  建築物
Ｇ  地面
【図１】
2006034234.tif 000003
【図２】
2006034234.tif 000004
【図３】
2006034234.tif 000005
【図４】
2006034234.tif 000006
【図５】
2006034234.tif 000007
【図６】
2006034234.tif 000008
【図７】
2006034234.tif 000009
【図８】
2006034234.tif 000010
【図９】
2006034234.tif 000011